(57)【要約】【課題】自然に遊技機の図柄が覚えられる粘着テープ及び粘着テープ用筐体を提供する。【解決手段】複数の図柄からなる図柄列が変動し、停止した結果に基づいてメダルを払い出す遊技機の図柄が表記された粘着テープ１であって、一方の面に粘着面、他方の面に印刷面を有し、印刷面の長手方向には、図柄列が繰り返し印刷される粘着シート３がドラム芯に巻回されて形成されている。【選択図】図１
2008125942.tif 000002
【特許請求の範囲】
【請求項１】
複数の図柄からなる図柄列が変動し、停止した結果に基づいて有価価値を払い出す遊技機の前記図柄が表記された粘着テープであって、
一方の面に粘着面、他方の面に印刷面を有し、
前記印刷面の長手方向には、前記図柄列が繰り返し印刷されるテープ基材がロール状に形成されていることを特徴とする粘着テープ。
【請求項２】
前記遊技機は複数の夫々異なる図柄列を有し、前記複数の図柄列が停止することで、所定の図柄の組み合せとなった場合に前記有価価値を払い出すものであって、
前記異なる図柄列が表記された印刷面を有する複数のテープ基材が、夫々ロール状に形成されると共に、中心軸が一致するように並列配置され、各々が独立して回転可能とされていることを特徴とする請求項１に記載の粘着テープ。
【請求項３】
前記テープ基材の印刷面には、
繰り返し印刷される図柄列と図柄列との間に、前記長手方向と直交する方向にマークが記されていることを特徴とする請求項１又は２に記載の粘着テープ。
【請求項４】
前記請求項１〜３の何れか１項に記載の粘着テープが設置可能な粘着テープ用筐体であって、
外観が前記遊技機と同じ形状及び模様を有し、
内部空間に、前記粘着テープを回転可能に支持するテープ支持部が設けられていることを特徴とする粘着テープ用筐体。
【発明の詳細な説明】
【技術分野】
【０００１】
本発明は、例えば、パチスロ遊技装置、パチンコ遊技装置、その他の遊技機に関連した粘着テープ及び粘着テープ用筐体に関するものである。
【背景技術】
【０００２】
パチスロ機は、遊技者が変動する図柄を停止させる停止操作を行い、予め設定された入賞ラインに所定の図柄が停止すると、遊技者にメダル等の有価価値を払い出すようになっている。このような停止操作は、変動する図柄を目視しながらタイミングよく停止操作を行う、所謂「目押し」と言われ、遊技者の技量に左右される。このため、遊技者の技量によって獲得できる有価価値も異なるため、近年では、目押し操作を手助けするような機能が備えられたパチスロ機が増加してきている。例えば、特許文献１には、リール上の外周面上が薄暗い場合、高速で回転するリール上の外周面に描かれた図柄を見極めることは、初心者ばかりでなく上級者においても困難であるため、図柄を照明して図柄を見えやすくすることで、遊技者が目押しを行いやすくなる遊技機が開示されている。
【０００３】
【特許文献１】特開２００４−２１５７９４号公報
【発明の開示】
【発明が解決しようとする課題】
【０００４】
ところで、遊技者は、目押し操作の成功度を上げるため、リールの図柄の順序を暗記しようとする。近年は、図柄の順序などが表示された攻略本等が売られているが、暗記しようと意識すると、余計に暗記できない場合がある。
【０００５】
そこで、本発明の目的は、自然に遊技機の図柄が覚えられる粘着テープ及び粘着テープ用筐体を提供することである。
【課題を解決するための手段及び効果】
【０００６】
上記目的を達成するために、本発明は、複数の図柄からなる図柄列が変動し、停止した結果に基づいて有価価値を払い出す遊技機の図柄が表記された粘着テープであって、一方の面に粘着面、他方の面に印刷面を有し、印刷面の長手方向には、図柄列が繰り返し印刷されるテープ基材がロール状に形成されている（発明１）。
【０００７】
この構成によると、有価価値の払い出しに関係する図柄を、粘着テープの表面に表記することで、粘着テープを使用する度に、その図柄が目に入り、遊技機とは無関係な状況で、自然に遊技機の図柄が覚えられるようになる場合がある。
【０００８】
また、本発明は、遊技機は複数の夫々異なる図柄列を有し、複数の図柄列が停止することで、所定の図柄の組み合せとなった場合に有価価値を払い出すものであって、異なる図柄列が表記された印刷面を有する複数のテープ基材が、夫々ロール状に形成されると共に、中心軸が一致するように並列配置され、各々が独立して回転可能とされている（発明２）。
【０００９】
この構成によると、遊技機が複数の図柄列を有し、それに対応して図柄列が表記された粘着テープが、各々が独立に回転するように、並列配置される。これにより、例えば、３つのリールを有し、各リールに異なる図柄列が付されている遊技機であっても、各テープ基材にそれぞれの図柄列を表記することで、全ての図柄列が暗記できる場合がある。また、ロール状のテープ基材が、中心軸が一致するように並列配置されているため、一般的な遊技機と同じように粘着テープの図柄列が視認できるようになり、図柄列がさらに暗記しやすくなる場合がある。
【００１０】
さらに、本発明において、テープ基材の印刷面には、繰り返し印刷される図柄列と図柄列との間に、長手方向と直交する方向にマークが記されている（発明３）。
【００１１】
この構成によると、図柄列毎にマークが記されているため、どの図柄までが、一の図柄列であるかを把握しやすくなり、より図柄のパターンが覚えやすくなる場合がある。
【００１２】
また、本発明は、発明１〜発明３の何れかの粘着テープが設置可能な粘着テープ用筐体であって、外観が遊技機と同じ形状及び模様を有し、内部空間に、粘着テープを回転可能に支持するテープ支持部が設けられている。
【００１３】
この構成によると、本物の遊技機と同様の外観を有し、内部に粘着テープを設置することで、粘着テープを使用しないときには、遊技機のミニチュアとして飾ることができる場合がある。
【発明を実施するための最良の形態】
【００１４】
以下、本発明の好適な実施の形態について、図面を参照して説明する。
【００１５】
（実施形態１）
まず、本発明の第１の実施形態について説明する。図１（ａ）は、３つの粘着テープを着脱自在に保持する粘着テープホルダー１０（以下、テープホルダーという）の斜視図であり、図１（ｂ）は、粘着テープ１の斜視図である。また、図２は、テープホルダー１０の分解斜視図である。本実施の形態の粘着テープ１は、遊技機のリールに対応するように、図柄列が印刷されているが、本実施の形態では、遊技機は並列配置される３つのリールを有し、それに対応する粘着テープも３つが並列配置され、テープホルダーに保持されるものとして説明する。
【００１６】
（テープホルダー）
テープホルダー１０は、図２に示すように、基台１１と、支持体１２とが組み合わされて形成されている。基台１１は、側面体１１ａと背面体１１ｂとが略垂直に配設され、側面体１１ａには、円筒状の粘着テープドラム１１ｃ及びカッター支持軸１１ｄが略垂直に立設されている。粘着テープドラム１１ｃは、図１（ａ）に示すように、３つの粘着テープ１が緩挿する長さ及び径を有している。また、粘着テープドラム１１ｃは、空洞になっており、支持体１２に立設される差込軸１２ａが差し込み可能となっている。カッター支持軸１１ｄは、粘着テープ１を切断するテープカッター１３が設けられ、粘着テープドラム１１ｃと同様に、空洞になっており、支持体１２に立設される差込軸１２ｂが差し込み可能となっている。
【００１７】
支持体１２は、基台１１の側面体１１ａと略同じ形状を有している。支持体１２には、粘着テープドラム１１ｃ及びカッター支持軸１１ｄに差し込み可能な径を有する円筒状の差込軸１２ａ・１２ｂが立設されている。そして、支持体１２の差込軸１２ａ・１２ｂを粘着テープドラム１１ｃ及びカッター支持軸１１ｄに差し込み、基台１１及び支持体１２に設けられる係合部（図示せず）を係合させることで、基台１１と支持体１２とが離脱することなくテープホルダー１０を形成する。
【００１８】
なお、カッター支持軸１１ｄは、粘着テープドラム１１ｃと離れて設けられる。これにより、粘着テープドラム１１ｃに支持される後述の粘着テープ１を、外周の端部から所望長だけ引き出してテープカッター１３で切断しやすくなる。
【００１９】
（粘着テープ）
上記のテープホルダー１０に保持される粘着テープ１は、ドラム芯２と、ドラム芯２に巻き付け積層した粘着シート３とから構成されている。ドラム芯２は、テープホルダー１０の粘着テープドラム１１ｃよりも大きい径を有する筒形状を有している。即ち、粘着テープ１を粘着テープドラム１１ｃに緩挿させると、粘着テープ１は、回転自在にテープホルダー１０に支持される。また、各粘着テープ１は、互いに干渉することなく、独立して回転自在に支持される。
【００２０】
粘着シート３は、ドラム芯２と略同じ幅を有し、片面に粘着剤層が設けられ、他方の面に剥離剤層が設けられている。そして、粘着剤層が設けられた面がドラム芯２側になるように、図１（ｂ）に示すように、ドラム芯２に巻回される。即ち、粘着剤層が設けられた面（以下、粘着面という）と剥離剤層が設けられた面（以下、印刷面という）とが交互に積層する。なお、粘着面と印刷面とは、簡単に剥離可能となっている。
【００２１】
また、印刷面は、図示しないインクジェット等による印刷機によって印刷可能となっている。そして、印刷面には、図１（ｂ）に示すように、遊技機で用いられる複数の図柄からなる図柄列が繰り返し印刷されている。
【００２２】
遊技機は、所謂『パチスロ機』であり、回転する複数のリール（本実施の形態では、３つのリール）を有している。各リールは、それぞれその外周面に複数の図柄からなる図柄列が記されている。図柄列は、図３に示すように、複数種類の図柄からなっている。具体的には、「赤７（図柄９１）」、「青７（図柄９２）」、「下チリ（図柄９３）」、「ベル（図柄９４）」、「スイカ（図柄９５）」、「Ｒｅｐｌａｙ（図柄９６）」及び「上チリ（図柄９７）」の図柄からなっている。そして、遊技者が、回転するリールを停止させ、所定のライン上に所定の図柄を停止させた場合に、メダル等の有価価値が払い出されるようになっている。
【００２３】
遊技機は、一般的に、正面から見て左側に配置される左リール、中央に配置される中リール、右側に配置される右リールを有しており、各リールに記される図柄列は、図３に示すように異なっている。そして、各粘着テープ１には、遊技機の３つのリールと対応するように、夫々異なる図柄列が印刷される。
【００２４】
具体的には、３つの粘着テープ１がテープホルダー１０に並列して保持される。そして、例えば、図１（ａ）において、テープカッター１３側を正面とすると、図面手前にある粘着テープ１には、遊技機の左リールに記される図柄列が印刷される。また、図面奥にある粘着テープ１には、遊技機の右リールに記される図柄列が印刷される。即ち、粘着テープ１は、遊技者が視認する遊技機の各リールと同じ図柄列が印刷され、配置される。これにより、粘着テープ１の使用者は、実際のリールと同じように構成された粘着テープ１を使用する度に、図柄が目に入り、どのリールがどの図柄列を有しているかを自然と覚えるようになる。
【００２５】
なお、印刷面に使用される剥離剤は、硬化性ポリシロキサンを含有している。硬化性ポリシロキサンとしては、ポリジメチルシロキサン、ポリメチルフェニルシロキサン、ポリジフェニルシロキサンなどが例示でき、これらポリシロキサンを１は２種以上を用いて形成されている。
【００２６】
また、繰り返し印刷される図柄列と図柄列との間には、ミシン目３ａが記されている。即ち、使用者は、どの図柄からどの図柄までが、一つの図柄列であるかを把握できるようになる。このミシン目３ａにおいて、粘着シート３が切断しやすいようになっていてもよいし。
【００２７】
次に、粘着テープ１のテープホルダー１０への挿着手順について説明する。まず、基台１１から支持体１２を取り外し、３つの粘着テープ１を粘着テープドラム１１ｃに緩挿させる。そして、支持体１２の差込軸１２ａ・１２ｂを粘着テープドラム１１ｃ及びカッター支持軸１１ｄに差し込み、支持体１２を基台１１に取り付ける。このように、粘着テープ１を粘着テープドラム１１ｃに緩挿させているだけなので、３つの粘着テープ１は、それぞれ独立して回転する。従って、一つの粘着テープ１を使用しても、他の粘着テープ１が回転することはない。
【００２８】
なお、並列して粘着テープドラム１１ｃ緩挿させる粘着テープ１は、それぞれ、粘着テープドラム１１ｃ上をスライドしないように、固定してもよい。また、粘着テープ１を３つテープホルダー１０で保持しているが、１つのみ保持するようにしてもよい。その他、テープホルダー１０等の構成は、上述の構成に限定されることはない。
【００２９】
（実施形態２）
次に、第２の実施形態について説明する。本実施の形態は、テープホルダーが第１の実施形態と異なっている。粘着テープ１は、第１の実施形態と同様であるため、説明は省略する。
【００３０】
テープホルダー２０は、図４に示すように、第１の実施形態で説明した遊技機の外観と略同じ形状及び模様を有した筐体２１を有している。即ち、筐体２１は、実際の遊技場に設置される実際の遊技機と同様に、正面に、キャラクタ等が表示される液晶表示装置や、ＢＥＴボタン、スタートレバー等の操作ボタン、メダルを投入するメダル投入口、各種ランプに該当する部品が設けられている。これら部品は、固設されていてもよいし、交換可能に設けられていてもよい。部品が交換可能の場合、遊技機がリニューアルされたりしても、部品を取り替えることで、テープホルダー２０もその遊技機に合わせて外観を変更することができる。
【００３１】
筐体２１は、内部に粘着テープ１を回転自在に保持しており、筐体２１の前面には、粘着テープ１の粘着シート３を引き出す引き出し口２２が設けられている。引き出し口２２は、横に並列される３つの粘着テープ１（図５参照）よりも幅広に形成されている。即ち、一つの引き出し口２１から、３つの粘着テープ１の粘着シート３を引き出すことができる。また、引き出し口２２の下部には、テープカッター２２ａが設けられている。そして、引き出し口２２から引き出した粘着シート３を下方に引くことで、テープカッター２２ａにより、切断できる。
【００３２】
筐体２１は、前面が開閉可能な扉２１ａになっており、図５に示すように、内部も実際の遊技機と同じようにメダルを排出するホッパーなどの部品が設けられている。また、３つの粘着テープ１がテープ支持軸２３及びテープ支持台２４により、回転自在に支持されている。
【００３３】
テープ支持軸２３は、図６（ａ）に示すように、３つの粘着テープ１が緩挿する長さ及び径を有する本体部２３ａと、本体部２３ａの両端に設けられ、本体部２３ａよりも径が小さい保持部２３ｂと、保持部２３ｂのさらに外側に設けられ、本体部２３ａと略同じ径を有する終端部２３ｃとが一直線上に設けられている。
【００３４】
テープ支持台２４は、直方体の平板で、一端に、略長方形と半円とからなる切欠部２４ａが形成されている。切欠部２４ａは、半円部分が、上記テープ支持軸２３の保持部２３ｂの軸よりも大きく、本体部２３ａや終端部２３ｃよりも小さい径を有している。また、テープ支持台２４の厚さは、保持部２３ｂの幅よりも小さくなっている。従って、保持部２３ｂが切欠部２４ａで保持されると共に、本体部２３ａ及び終端部２３ｃにより切欠部２４ａを挟み込んでいる。これにより、テープ支持軸２３がテープ支持台２４から落ちることを防止している。また、図６（ｂ）に示すように、粘着テープ１を緩挿させたテープ支持軸２３を、テープ支持台２４の上部から降下させるだけで、テープ支持軸２３をテープ支持台２４に装着することができる。
【００３５】
このように、粘着テープ１を、遊技機と酷似するテープホルダー２０に収容することで、粘着テープ１を使用しない場合は、遊技機のミニチュアとして飾っておくことができる。また、実際の遊技機と同じ筐体から図柄列が印刷された粘着シート３を引き出すことで、より図柄を覚えやすくなる。
【００３６】
（本実施形態の概要）
以上、説明したように、上述の実施の形態は、複数の図柄からなる図柄列（図３の図柄列）が変動し、停止した結果に基づいて有価価値（メダル等）を払い出す遊技機の図柄が表記された粘着テープ１であって、一方の面に粘着面、他方の面に印刷面を有し、印刷面の長手方向には、図柄列が繰り返し印刷されるテープ基材（粘着シート３等）がロール状に形成（ドラム芯２に巻回）される構成にされている。
【００３７】
この構成によると、有価価値の払い出しに関係する図柄を、粘着テープの表面に表記することで、粘着テープを使用する度に、その図柄が目に入り、遊技機とは無関係な状況で、自然に遊技機の図柄が覚えられるようになる場合がある。
【００３８】
また、上述の実施形態は、遊技機は複数の夫々異なる図柄列を有し、複数の図柄列が停止することで、所定の図柄の組み合せとなった場合に有価価値を払い出すものであって、異なる図柄列が表記された印刷面を有する複数のテープ基材（３つの粘着シート）が、夫々ロール状に形成される（ドラム芯２に巻回）と共に、中心軸が一致するように並列配置され、各々が独立して回転可能（粘着テープドラム１１ｃに緩挿）とされる構成となっている。
【００３９】
この構成によると、遊技機が複数の図柄列を有し、それに対応して図柄列が表記された粘着テープが、各々が独立に回転するように、並列配置される。これにより、例えば、３つのリールを有し、各リールに異なる図柄列が付されている遊技機であっても、各テープ基材にそれぞれの図柄列を表記することで、全ての図柄列が暗記できる場合がある。また、ロール状のテープ基材が、中心軸が一致するように並列配置されているため、一般的な遊技機と同じように粘着テープの図柄列が視認できるようになり、図柄列がさらに暗記しやすくなる場合がある。
【００４０】
さらに、上述の実施形態において、テープ基材の印刷面には、繰り返し印刷される図柄列と図柄列との間に、長手方向と直交する方向にマーク（ミシン目３ａ等）が記されている。
【００４１】
この構成によると、図柄列毎にマークが記されているため、どの図柄までが、一の図柄列であるかを把握しやすくなり、より図柄のパターンが覚えやすくなる場合がある。
【００４２】
また、上述の実施形態において、粘着テープ１が設置可能な粘着テープ用筐体（テープホルダー２０、筐体２１）であって、外観が遊技機と同じ形状及び模様を有し、内部空間に、粘着テープを回転可能に支持するテープ支持部（テープ支持軸２３及びテープ支持台２４）が設けられている。
【００４３】
この構成によると、本物の遊技機と同様の外観を有し、内部に粘着テープを設置することで、粘着テープを使用しないときには、遊技機のミニチュアとして飾ることができる場合がある。
【００４４】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４５】
例えば、３つの粘着テープ１を並列配置しているが、粘着テープ１は１つだけでもよいし、それ以上であってもよい。また、図柄列と図柄列との間だけでなく、各図柄の間にミシン目等を印刷するようにしてもよい。その他、粘着テープ１を保持する構成等は適宜変更可能である。
【図面の簡単な説明】
【００４６】
【図１】（ａ）実施例のテープホルダーの斜視図（実施形態１）（ｂ）実施例の粘着テープの斜視図。
【図２】実施例のテープホルダーの分解斜視図。
【図３】リールに配列された図柄の例を示す図。
【図４】実施例のテープホルダーの斜視図（実施形態２）。
【図５】図４のテープホルダーの内部を示す図。
【図６】（ａ）粘着テープを支持するテープ支持軸及びテープ支持台の構成を示す図（ｂ）テープ支持軸をテープ支持台に着脱する際の概略図。
【符号の説明】
【００４７】
１    粘着テープ
２    ドラム芯
３    粘着シート
１０  テープホルダー
【図１】
2008125942.tif 000003
【図２】
2008125942.tif 000004
【図３】
2008125942.tif 000005
【図４】
2008125942.tif 000006
【図５】
2008125942.tif 000007
【図６】
2008125942.tif 000008